(57)【要約】【課題】耐摩耗性や耐候性などの耐久性に優れるガス管表示マークを安価に供給すること。【解決手段】透明樹脂シートの表面に微細ガラス球を含有する防滑性透明層を有し、上記透明樹脂シートの裏面にガス管の位置を表示する印刷記号を有し、該印刷記号を含む全面に黄色層を設け、さらに黄色層の面に粘着剤層を介して離型シートが貼着されていることを特徴とするガス管表示マーク。【選択図】　図２
2004136467.tif 000002
【特許請求の範囲】
【請求項１】
透明樹脂シートの表面に微細ガラス球を含有する防滑性透明層を有し、上記透明樹脂シートの裏面にガス管の位置を表示する印刷記号を有し、該印刷記号を含む全面に黄色層を設け、さらに黄色層の面に粘着剤層を介して離型シートが貼着されていることを特徴とするガス管表示マーク。
【請求項２】
上記黄色層と粘着剤層との間に白色層を有する請求項１に記載のガス管表示マーク。
【請求項３】
上記透明樹脂シートが、ガス管廃材を回収して得られたポリエチレンを主成分としてシート化してなる透明樹脂シートである請求項１に記載のガス管表示マーク。
【請求項４】
上記微細ガラス球を含有する防滑性透明層が、さらに紫外線吸収剤を含む請求項１に記載のガス管表示マーク。
【請求項５】
上記粘着剤層および離型シートが、両面粘着シートを用いて形成されている請求項１に記載のガス管表示マーク。
【発明の詳細な説明】
【０００１】
【発明の属する技術分野】
本発明は、ガス管表示マークに関し、さらに詳しくはガス管表示マークに付された記号の耐摩耗性や耐光性などの表面耐久性に優れたガス管表示マークに関する。
【０００２】
【従来の技術】
従来、ガス管の埋設、補修、その他のガス管工事において、舗装道路などの地面にガス管表示マークを貼着し、工事を円滑に進めるとともに、付近の歩行者や車輌に注意を与えている。従来のガス管表示マークの外観は図１に示すように、黄色の防滑性下地８に矢印と「Ｇ」などの記号３が印刷されている。
【０００３】
上記従来のガス管表示マークの断面構造は、図３に示すように、薄い鉛やアルミニウムなどの基材シート９の表面に、防滑性用の微小ガラス球を含む黄色塗料を全面的に塗布して防滑性黄色層８を形成し、その上に赤色のインキによりスクリーン印刷で矢印などの記号３を印刷し、基材シート９の背面に粘着剤層６を介して離型シート７が貼着されている。上記基材シート９として鉛などのシートを用いるのは、ガス管表示マークが、微小な凹凸を有する舗装道路などの地面に馴染み、ガス管表示マークが舗装道路などの地面から剥離し難くするためである。
【０００４】
【発明が解決しようとする課題】
上記従来のガス管表示マークは、その最表面に印刷記号３が存在することから、工事関係者、歩行者、車輌の通行などによって容易に摩耗し、記号が薄くなったり、消えてしまうという耐摩耗性の問題がある。また、同様な理由で、記号が直射日光や風雨に晒されることから、記号などが短期間で退色するという耐候性の問題があった。また、基材シート９として鉛などの金属シートを用いることから、コスト高であった。
従って、本発明の目的は、耐摩耗性や耐候性などの耐久性に優れるガス管表示マークを安価に供給することである。
【０００５】
【課題を解決するための手段】
上記の目的は以下の本発明によって達成される。すなわち、本発明は、透明樹脂シートの表面に微細ガラス球を含有する防滑性透明層を有し、上記透明樹脂シートの裏面にガス管の位置を表示する印刷記号を有し、該印刷記号を含む全面に黄色層を設け、さらに黄色層の面に粘着剤層を介して離型シートが貼着されていることを特徴とするガス管表示マークを提供する。
【０００６】
【発明の実施の形態】
次に好ましい実施の形態を挙げて本発明をさらに詳しく説明する。図１は、本発明のガス管表示マークの正面図であり、その外観は従来公知のガス管表示マークと同様であるが、その積層構造に特徴を有する。すなわち、図１のＡ−Ａ線矢視拡大断面図である図２に示すように、先ず、第一の特徴は、基材シート１である透明樹脂シートの表面に微細ガラス球を含有する透明防滑性層２を有している。この透明防滑性層２は、防滑性用の微小ガラス球を含有しており、その表面が微細凹凸状に形成され、本発明のガス管表示マーク上を歩く歩行者の転倒を防止している。この透明防滑性層２はクリヤー塗料に適当な量の微細ガラス球を分散させた透明塗料を乾燥時の厚みで約５〜１００μｍの厚みに設ける。また、透明防滑性層に紫外線吸収剤を含有させた場合には、さらに耐光性が向上するので、より好ましい。
【０００７】
第二の特徴は、基材シート１が実質上透明な樹脂シートである点である。該樹脂シートの樹脂としては、ポリエチレンテレフタレート、塩化ビニル樹脂、ポリエチレン、ポリプロピレンなどの汎用の合成樹脂が使用可能である。特に経済的に好ましい樹脂は、ポリエチレン製のガス管の廃材（例えば、ガス管の端材など）から回収したポリエチレンを主成分とするシートである。これらの樹脂シートの厚みは通常約５０〜２００ｍｍ程度である。
【０００８】
上記透明樹脂シートの成分の好ましい組成の１例は下記の通りである。
ガス管廃材ポリエチレン・・・・・４０〜７０質量％
エチレン−酢酸ビニル共重合体・・１５〜３５質量％
超低密度ポリエチレン・・・・・・・５〜１５質量％
帯電防止剤・・・・・・・・・・・・・１〜７質量％
【０００９】
上記において、特にエチレン−酢酸ビニル共重合体が１５質量％未満で、超低密度ポリエチレンが５質量％未満であると、透明樹脂シートの反撥弾性が高くなり、本発明のガス管表示マークを表面が粗い地面に貼着した場合、該シートが剥離する場合がある。一方、エチレン−酢酸ビニル共重合体が３５質量％を超え、かつ超低密度ポリエチレンが１５質量％を超えると、透明樹脂シートの強度が低下する場合がある。
【００１０】
第三の特徴は、矢印や「Ｇ」などの記号３を、上記基材シート１の裏面に設ける点である。これらの記号３は、赤や緑などのインキを用いてシルクスクリーン印刷で形成する。使用するインキは従来公知のインキと同様でよい。次に印刷記号３を含む基材シートの裏面全面に黄色顔料により着色された塗料またはインキにより黄色層４を形成する。これらの黄色層４の厚みは通常約５〜１００μｍ程度である。
【００１１】
さらに黄色層４の全面に酸化チタンなどの白色顔料を含む白色層５を設けることが好ましい。上記白色層５は黄色層４および記号３の隠蔽層（バックグラウンド）となり、上記黄色層４および記号３が、最表面の透明防滑性層２および透明樹脂シート１の面から明瞭に視認できるようになる。この白色層５は、黄色層４の表面に白色塗料を塗布して形成してもよいし、白色樹脂シートをラミネートして形成してもよい。白色樹脂シートは、基材シートの樹脂と同様であるが、やはり経済的には、前記の如くポリエチレン製のガス管の廃材から形成した白色ポリエチレンシートであることが好ましい。これらの白色層５の厚みは通常約５〜１００μｍ程度である。
【００１２】
上記白色層５の表面に設ける粘着剤層６および離型シート７は、従来公知の粘着剤および離型シートから形成することができるが、特に好ましい方法は、芯材の両面に粘着剤層を形成し、両面に離型シートを貼着してなる両面粘着シートを用いて形成することが好ましい。すなわち、両面粘着シートの一方のＰ側の離型シートを剥離し、粘着剤層面を黄色層または白色層に粘着することによって形成する方法である。この方法によれば、工程が極めて簡便であるこれらの粘着剤層６の厚みは通常約１０〜１００μｍ程度であり、離型シートは通常１０〜１００μｍの厚みである。
【００１３】
上記本発明のガス管表示マークの使用に際しては、ガス管の埋設、補修などのガス管工事の周辺の地面に貼着し、工事の指標とするとともに、通行人や通行車輌に注意を与える目的で使用する。使用に際しては、離型シート７を剥離し、露出した粘着剤層６を地面に対向させて圧着することにより、地面に固定する。
【００１４】
【発明の効果】
以上の如き本発明によれば、耐摩擦性や耐候性などの耐久性に優れるガス管表示マークを安価に供給することができる。すなわち、従来のガス管表示マークにおいては、記号などが、ガス管表示マークの最表面に形成されているので、工事関係者、通行人、通行車輌などに踏まれて、記号が容易に剥離し短時間で記号が薄くなったり、剥離して長持ちせず、頻繁に貼り替える必要があった。これに対して本発明のガス管表示マークの場合には、記号は、基材シートの裏面に印刷されているので、上記従来技術の耐摩耗性の問題点は十分に解決された。
【００１５】
また、同様な理由から、従来のガス管表示マークの記号は、直射日光や風雨に晒される結果、耐光性などの耐候性に劣り、上記と同様な耐久性の問題があったが、本発明のガス管表示マークにおける記号は、直射日光や風雨に直接には晒されないことから、記号の退色などが従来のガス管表示マークの場合に比較して顕著に改良されている。特に透明防滑性層に紫外線吸収剤を含有させた場合には、さらに耐光性が向上する。また、透明樹脂シートとして、ガス管廃材を回収して得られたポリエチレンを主成分として、シート化してなる樹脂シートを用いることによって資源の再利用とともに、経済的に有利である。
【図面の簡単な説明】
【図１】ガス管表示マークの正面図。
【図２】本発明のガス管表示マークの拡大断面図。
【図３】従来のガス管表示マークの拡大断面図。
【符号の説明】
１，９：基材シート
２：透明防滑性層
３：記号
４：黄色層
５：白色層
６：粘着剤層
７：離型シート
８：防滑性黄色層
【図１】
2004136467.tif 000003
【図２】
2004136467.tif 000004
【図３】
2004136467.tif 000005